(57)【要約】  【課題】  ＡＤＦモード及びフラットベッドモードで原稿を読み取ることができ、フラットベッドとして使用する際にＡＤＦを持ち上げる必要がなく、フラットベッド単体で持ち運びでき、ＰＣが無い環境でも読み込むことができる読取装置を提供する。  【解決手段】  フラットベッド１００をＡＤＦ２００に着脱自在とし、フラットベッドを取り外したときはＡＤＦから電気的に遮断され、フラットベッドスキャナ単独で読取センサ１０５を走査させて読み取った画像情報を記憶媒体に転送する。フラットベッドをＡＤＦに装着したＡＤＦモードでは、電気的に結合され、フラットベッド側の読取センサ１０５を定位置に停止させて搬送される原稿を読み取り、読み取った画像情報を記憶媒体に転送する。【選択図】  図１
2008148025.tif 000002
【特許請求の範囲】
【請求項１】
原稿を載置する原稿台、原稿の画像を読み取る読取手段、前記読取手段を原稿に沿って走査させる走査手段、前記読取手段及び前記走査手段を制御する制御部、及び前記原稿台と前記読取手段及び前記走査手段を支持する第１のフレーム部を有する第１のユニットと、
原稿を前記第１のユニットの読取手段にて読み取る経路で搬送する搬送手段、前記搬送手段を駆動する駆動源、及び前記搬送手段を支持する第２のフレーム部を有する第２のユニットと、
を備え、
前記第１のユニットは前記第２のユニットに着脱自在であり、
前記第１のユニットを前記第２のユニットから取り外したときは、前記第１のユニットは前記第２のユニットから電気的に切断されるとともにフラットベッドスキャナとして単独で使用可能であり、前記読取手段を走査させて原稿を読み取り、読み取った画像情報を記憶媒体に転送可能であり、
前記第１のユニットを前記第２のユニットに装着したときは、前記第１のユニットと前記第２のユニットは電気的に結合され、前記読取手段を一定位置に停止させて搬送されてくる原稿を読み取ることができ、読み取った画像情報を記憶媒体に転送可能であることを特徴とする画像読取装置。
【請求項２】
前記第１のユニットを前記第２のユニットに装着したとき、該第１のユニットは第２のユニットの設置面に対し前記原稿台が傾斜した姿勢または垂直な姿勢で固定されることを特徴とする請求項１に記載の画像読取装置。
【請求項３】
前記第１のユニットを前記第２のユニットに装着したとき、前記読取手段は、前記第１のユニット内の移動可能範囲の下端位置で、搬送されてきた原稿を読み取ることを特徴とする請求項１又は２に記載の画像読取装置。
【請求項４】
前記第１のユニットが前記第２のユニットに装着されている間は、前記読取手段が移動しないことを特徴とする請求項１乃至３のいずれか１項に記載の画像読取装置。
【請求項５】
前記第１のユニットは該第１のユニットの制御回路に接続された操作パネルを有し、前記第１のユニット及び前記第２のユニットのそれぞれに前記操作パネルを着脱自在に取付けるための取付け部を設けることを特徴とする請求項１乃至４のいずれか１項に記載の画像読取装置。
【請求項６】
前記第１のユニットを前記第２のユニットから取り外したとき、前記読取手段はホームポジションから原稿を走査して読み取ることを特徴とする請求項１乃至５のいずれか１項に記載の画像読取装置。
【請求項７】
前記第２のユニットに、前記搬送手段により搬送される原稿の裏面を読み取るための第２の読取手段を配設することを特徴とする請求項１乃至６のいずれか１項に記載の画像読取装置。
【発明の詳細な説明】
【技術分野】
【０００１】
本発明は、イメージスキャナ、ファクシミリ、複写機等の画像を読み取る機能を有する画像読取装置に関する。
【背景技術】
【０００２】
イメージスキャナ、ファクシミリ、複写機等の画像を読み取る機能を有する画像読取装置について様々な形態のものが提案され、実施されている。従来の画像読取装置の一例を示す縦断面図である。図１２において、図示の画像読取装置は、第１の読取手段１００２で原稿Ｐ１００１の表面を読み取り可能な第１の読取モードと、原稿Ｐ１００２の表裏両面を読み取り可能な第２の読取モードを有する。第１の読取モードでは、第１の読取手段１００２の位置Ｘ１から位置Ｘ２へ移動させて原稿台ガラス１００１上に置かれた原稿Ｐ１００１を走査することで読み取ることができる。
【０００３】
一方、第２の読取モードでは、搬送されてくる原稿Ｐ１００２の表面を位置Ｘ１に停止させた第１の読取手段１００２で読み取るとともに、この原稿Ｐ１００２の裏面を搬送部に固定された第２の読取手段１０２０で読み取ることができる。第２の読取モードで読み取る原稿Ｐ１００２は、積載トレイ１００３上に積載されたものから、分離ローラ１００５と分離パッド１００６で１枚だけ分離して送り出され、第１の搬送ローラ対１００７で搬送されてくるものである。第２の読取モードで読み取られた原稿は、第２の搬送ローラ対１００８により排紙トレイ１００４上へ排出される。さらに、分離ローラ１００５と分離パッド１００６により次の原稿が同様に搬送され、この原稿についても表裏を読み取ることができる。
【０００４】
また、特許文献１には、原稿搬送機構に読取ユニットを着脱自在に装着した画像読取装置であって、ユーザーが読取ユニットを取り外して別の原稿台上に移動可能に装着することによりフラットベッドスキャナとしても使用可能な構成のものが開示されている。
【特許文献１】特開平１０−３０８８３６
【発明の開示】
【発明が解決しようとする課題】
【０００５】
従来の画像読取装置は、原稿台ガラス上に置いた原稿を走査して読み取る第１の読取モードと、積載トレイから送り出されて搬送される原稿を固定位置で読み取る第２の読取モードを有するので、使途に合わせて使い分けることができ、便利である。しかし、２つの読取機能を一体化した１つの装置で構成しているので、装置自体が大型になるという不都合があった。また、例えば写真原稿などの傷つきやすい原稿や地図などの大型の原稿を読み取る際、ユーザーがＡＤＦ部（原稿搬送機構部）を開閉しなければならず、重いものを持ち上げることになり、取り扱いが面倒であった。
【０００６】
また、フラットベッドスキャナ部を水平に置いて使用するため、広い設置面積を必要とするという難点もあった。さらに、特許文献１には、取り外した読取ユニットを、別の原稿台上に移動可能に装着するものが開示されている。しかし、これでは、読取ユニットを装着する作業はユーザーが行うため、読取ユニットを精度良く装着することが難しく、読み取った画像が斜行したり、読み取った画像の先端が位置ズレするなどの不都合があった。また、ユーザーが原稿台を開けて読取ユニットを装着するため、機械に不慣れなユーザーにとっては取り扱いが難しいという不都合もあった
【０００７】
本発明はこのような技術的課題に鑑みてなされたものである。本発明の目的は、フラットベッドスキャナとして使用する場合に原稿搬送機構部を持ち上げる必要がない画像読取装置を提供することである。また、本発明は、フラットベッドスキャナ単体で持ち運びすることができ、ＰＣ等のホスト機が無い環境でも画像情報を読み込むことができる画像読取装置を提供することである。
【課題を解決するための手段】
【０００８】
本発明の画像読取装置は、原稿の画像を読み取る読取手段、読取手段を原稿に沿って走査させる走査手段、読取手段及び走査手段を制御する制御部、及び読取手段及び走査手段を支持する第１のフレーム部を有する第１のユニットを備える。
原稿を第１のユニットの読取手段を通して搬送する搬送手段、搬送手段を駆動する駆動源、及び搬送手段を支持する第２のフレーム部を有する第２のユニットを備える。
第１のユニットは第２のユニットに着脱自在である。
第１のユニットを第２のユニットから取り外したときは、第１のユニットは第２のユニットから電気的に切断されるとともにフラットベッドスキャナとして単独で使用可能である。また、読取手段を走査させて原稿を読み取り、読み取った画像情報を記憶媒体に転送可能である。
第１のユニットを第２のユニットに装着したときは、第１のユニットと第２のユニットは電気的に結合され、読取部手段を一定位置に停止させて搬送されてくる原稿を読み取ることができ、読み取った画像情報を記憶媒体に転送可能である。
【発明の効果】
【０００９】
本発明によれば、フラットベッドスキャナとして使用する場合に原稿搬送機構部を持ち上げる必要がなく、フラットベッドスキャナ単体で持ち運びすることができ、ＰＣ等のホスト機が無い環境でも画像情報を読み込むことができる画像読取装置が提供される。
【発明を実施するための最良の形態】
【００１０】
以下、図面を参照して本発明の実施形態を具体的に説明する。なお、各図面を通して同一符号は同一又は対応部分を示すものである。図１は本発明の一実施形態に係る画像読取装置の縦断面図である。図２は図１の画像読取装置の外観を示す斜視図である。図３は本発明の一実施形態に係る画像読取装置の前面のカバー部を省いて内部を示す斜視図である。図４は図１の画像読取装置において第２のユニットの上側のガイド機構を開いた状態を示す縦断面図である。図５は図２の画像読取装置において原稿トレイを折りたたんだ状態を示す斜視図である。図１０は本発明の一実施形態に係る画像読取装置において第２のユニットに対して第１のユニットを着脱するときの状態を示す縦断面図である。
【００１１】
なお、図１は、第２のユニットである原稿搬送装置（ＡＤＦ）２００に第１のユニットである読取ユニット（フラットベッドスキャナ）１００を装着した状態を示す。図４は図１の画像読取装置においてさらに第２のユニット２００の上側のガイド機構３０を開いた状態を示す縦断面図である。図５は図２の画像読取装置において原稿トレイを折りたたんだ状態を示す斜視図である。図１〜図５及び図１０において、本実施形態に係る画像読取装置５００は、第２のユニットである原稿搬送装置（ＡＤＦ）２００とこれに着脱自在な第１のユニットである読取ユニット１００で構成されている。読取ユニット１００は、取り外したときに単独で使用可能なフラットベッドスキャナとなる。また、読取ユニット（第１のユニット）１００は、第２のユニット（原稿搬送装置）２００に装着されるときは、図１に示すように第２のユニットの設置面に対し傾斜した姿勢で固定されるか、あるいは垂直な姿勢で固定される。
【００１２】
第１のユニット１００は、第１のフレーム部である枠体と、原稿台ガラス１０２と、タイミングベルト１０３と、走査用のモータ１０４と、読取手段である読取センサ（第１の読取センサ）１０５と、を備えている。この読取センサは密着型の読取センサであり、以下ではＣＩＳ（第１のＣＩＳ）とも称する。読取センサ１０５は、タイミングベルト１０３に接続され、モータ１０４の回転により原稿台ガラス１０２の板面と平行に往復移動可能である。
【００１３】
第２のユニット２００は、第２のフレーム部２５０に原稿搬送機構を支持して構成されている。この原稿搬送機構は、原稿を搬送する搬送手段と該搬送手段を駆動する駆動源などで構成されている。この原稿搬送機構には、次のような部品が設けられている。先ず、３は搬送ローラであり、４は該搬送ローラに圧接される分離ローラであり、これらはトレイ１４２及び１４３に積載された原稿Ｄを１枚ずつ分離して送り出し、さらに搬送する機能を有する。分離ローラ４の軸には、トルクリミッタ３１（図３）及びカップリング３２（図３）が装着されている。５はレジストローラであり、６は該レジストローラに圧接されるコロであり、７は原稿の紙端を検知するための検知レバーであり、８は検知レバー７と共働して原稿の紙端通過を検知する検知センサである。
【００１４】
本実施形態では、原稿搬送装置（第２のユニット）２００に、搬送される原稿の裏面（図示の上面）を読み取り可能な第２の読取手段である読取センサ９（図１）が配設されている。この読取センサ９は、図示のような原稿の搬送経路中の固定位置に配設されている。この読取センサ９も密着型の読取センサであり、以下ではＣＩＳ（第２のＣＩＳ）とも称する。１０は読取センサ９の読取面に取り付けられたガラスであり、１１はガラス１０との間に所定の原稿通過用の隙間をおいて配置されたプラテンローラである。１２は搬送方向下流側のレジストローラであり、１３はレジストローラ１２に圧接されるコロである。１及び２は、第２のフレーム部２５０の一部を構成するとともに装置本体の両側面部を構成する側板である。
【００１５】
１４は、読取ユニット１００の原稿台ガラス１０２の表面と所定の隙間をもって配設されたプラテンローラである。このプラテンローラ１４は、原稿搬送装置２００に装着された読取ユニット１００の原稿台ガラス１０２の下端近傍部と対向するように配設されている。１５は原稿を装置本体から排出するための排出ローラであり、１６は排出ローラ１５に圧接されるコロである。なお、上記のコロ６及び１３は、弾性材からなるばね部材１７に回転自在に軸支され、該ばね部材１７を介してそれぞれのレジストローラ５及び１２に対しばね付勢力により圧接される。
【００１６】
図１〜図５において、第２のユニット２００に装着されたモータ（搬送モータ）２１が矢印ｖ方向（図３）に回転すると、モータ軸２１ａに固定されたモータギア２１ｂが回転する。モータギア２１ｂの回転は、ギア列を通して、前述の原稿搬送機構の各ローラ、すなわち搬送ローラ３、レジストローラ５、レジストローラ１２及び排出ローラ１５に伝達される。この場合、搬送ローラ３に追従して回転する分離ローラ４の周速（搬送速度）は、その下流側の搬送ローラ対５、６よりも３０〜５０％程度小さく設定されている。また、搬送ローラ対５、６より下流側の搬送ローラ対１２、１３や排紙ローラ対１５、１６など、さらに下流側に行くほど、ローラの周速はさらに０．１％〜１％程度速くなるように設定されている。また、ローラ対のニップの圧接力（押圧力）は、搬送用の上流側のローラ対５、６の圧接力が最も大きく、その下流側のローラ対１２、１３及び１５、１６では下流へ行くほど圧接力が小さくなるように設定されている。図３において、４１、４２は原稿の側縁の位置を規制するためのサイドガイドであり、ユーザーは原稿の幅に合わせてサイドガイド４１、４２を矢印Ｗ方向に移動させることができる。
【００１７】
１４２、１４３は、原稿Ｄを積載するためのトレイであり、このトレイ１４２、１４３は使用しないときは図５に示すように折りたたみ可能である。第２のユニット２００は、原稿搬送機構の上側のガイド機構部３０が開閉可能に装着されている。この上側のガイド機構３０にはラッチ軸６０が回動可能に軸支され、このラッチ軸６０にはラッチ６１、６２及びレバー６３が固定されている。一方、第２のユニット２００の本体側には、ラッチ６１、６２が係止可能な軸７１が設けられている。ユーザーは、レバー６３を図１中の矢印Ｘ方向に回動させてラッチ６１、６２を軸７１から離脱させることにより、上側のガイド機構３０を図４に示すように開放することができる。上側のガイド機構３０を開放することにより、紙詰まりを解除するなどの作業を行うことができる。
【００１８】
２０１は操作パネルである。この操作パネル２０１には，複数のファンクションキー２０２、２０３、２０４、２０５が設けられ、SCAN、COPY、FILE、E-MAILなどに対応している。操作パネル２０１は、ケーブル２１０により、第１のユニット１００の内部に配された制御回路を構成するＰＣＢ１０７（図７）に接続されている。操作パネル２０１は、第１のユニット１００を第２のユニット２００に装着した状態では、図２に示すように第２のユニットの上部の見やすく操作しやすい位置（取付け部２４１）に着脱自在に取り付けられている。また、図６及び図８に示すように、第１のユニットを第２のユニットから取り外した状態では、操作パネル２０１は第１のユニットの取付け部１４１に着脱自在に取り付けることができる。
【００１９】
第１のユニット１００を第２のユニット２００に装着した状態（図１）でユーザーが希望操作のキーを押すと、内部のＰＣＢ（不図示）のスイッチが作動し、トレイ１４２、１４３上の原稿を分離、搬送して読み取り（スキャン）を開始することができる。また、第２のユニットのフレーム部（第２のフレーム部）２５０には、原稿搬送機構（搬送手段）などを駆動するための電源基板９２（図２）が装着されている。この電源基板９２は電源コード９１を通してＡＣアダプタ（不図示）に接続される。
【００２０】
図６は第１のユニット１００を取り外し、取り外したユニットをフラットベッドスキャナとして使用するときの状態を示す斜視図である。図７は図６のフラットベッドスキャナ１００の内部構造を示す斜視図である。図８は図６のフラットベッドスキャナ１００を原稿Ｄの上にセットするときの状態を示す斜視図である。図９は図６のフラットベッドスキャナ１００の第２のユニット２００との結合部を示す斜視図である。
【００２１】
先ず、第１のユニット（読取ユニット）１００をフラットベッドスキャナとして使用する場合を説明する。図１の状態の画像読取装置から、図１０に示すようにユーザーは第１のユニットを矢印Ｃ方向へ引き抜いて取り外す。次に、操作パネル２０１を第２のユニット（原稿搬送装置）２００から外す。取り外した操作パネル２０１は、ユーザーの好みにより、図６のようにフラットベッド（平坦面）に固定するか、テーブル上に載置する。ユーザーは、原稿台ガラス１０２の上に原稿を置き、操作パネル２０１上の希望のボタンを押す。第１のユニット１００がＵＳＢコネクタ挿入口１２１にＵＳＢケーブルを接続してＰＣに接続されているときは、ＰＣのスキャナのコントローラを操作する。ＵＳＢコネクタ挿入口１２１の内部にはＵＳＢコネクタ１０７ａが配されている。
【００２２】
第１のユニット１００の内部には、図７に示すように、原稿を読み取る読取手段である読取センサ１０５が原稿台ガラス１０２を透視して原稿を走査しながら読み取っていくように構成されている。読取センサ１０５を原稿に沿って走査させる走査手段は、タイミングベルト１０３、モータ１０４、ホームポジションセンサ１３１などで構成されている。制御回路（ＰＣＢ）１０７は、これら読取手段及び走査手段を制御する制御部を構成している。また、これら読取手段及び走査手段は第１のフレーム部（枠体）１０１によって支持されている。読取センサ１０５は、モータ１０４の回転によりホームポジションから矢印方向（図７）に往復移動させられ、原稿台ガラス１０２上の原稿の画像を読み取る。つまり、通常では、ホームポジションから原稿を走査して読み取るように構成されている。なお、図８に示すように、テーブルなどの上に置いた原稿（ブック原稿など）Ｄの上に、原稿台ガラス１０２を下面にして第１のユニット１００を載置し、操作パネル２０１のボタンを押すことで読み取っても良い。
【００２３】
第１のユニット１００には制御部であるＰＣＢ１０７が内蔵されている。この制御部１０７により、走査用のモータ１０４及びホームポジションセンサ１３１の他、第２のユニット２００に接続したときには第２のユニット内の機器を含め、画像読取装置５００の全ての機器を制御することができる。すなわち、第２のユニットに装着されたときは、ＡＤＦ用モータ２１、各種センサー、操作部２０１のスイッチなどの制御など、第１のユニット及び第２のユニットの制御の全てを行うことができる。また、第１のユニット及び第２のユニットの、読み取った画像のＰＣ又はメモリカードなどの記憶媒体への転送などの制御も全て行うことができる。
【００２４】
また、ＵＳＢコネクタ挿入口１２１の内部にあるＵＳＢコネクタ１０７ａはＰＣＢ１０７に接続されている。従って、第１のユニット１００は、ＵＳＢコネクタ挿入口１２１にＵＳＢコネクタを差し込むことにより、ＰＣに接続してバスパワーを使用して作動させることができる。つまり、パソコンにつながれているときは、読み取った（スキャンした）情報は、パソコンからの操作により、パソコン又は操作部２０１のメモリカード挿入口２１０に挿入されたメモリカードなどの記憶媒体に転送して記憶させることができる。
【００２５】
また、第１のユニット１００は、バッテリーが挿入される挿入口１２０を有しており、フラットベッドスキャナとして単独で使用するときはバッテリーのみでも使用することができる。その場合、読み取った画像情報等の情報を、操作部２０１のメモリカード挿入口２１２に挿入されたメモリカード（記憶媒体）に転送して記憶させることができる。また、バッテリーとして充電式を使用する場合は、第２のユニット２００に結合しているときに該第２のユニットの電源及び電源基板により充電することができる。なお、記憶媒体がメモリカードである場合を例示したが、これはＵＳＢメモリあるいはハードディスクなどでも良い。
【００２６】
次に、取り外した第１のユニット１００を原稿搬送装置（ＡＤＦ）である第２のユニット２００に差し込んで装着するときについて説明する。図９は図６中の矢印Ａ方向から見て第１のユニットの第２のユニットとの結合部を示す斜視図である。第１のユニットの枠体（第１のフレーム部）１０１の端面には、位置決め用の穴１０１ａ、１０１ｂが設けられている。また、第１のフレーム部１０１の同じ端面には、メス側のコネクタ１１０が設けられている。ユーザーは、第１のユニットを、位置決め用の穴１０１ａ、１０１ｂが配された端面を下にして、図１０中に矢印Ｄで示す方向に、第２のユニット２００へ差し込む。第１のユニットは、第２のユニットのフレーム部（第２のフレーム部）２５０の一部に設けられたステー６１などにガイドされながら、第２のユニット（その第２のフレーム部２５０）内へ挿入される。そして、位置決め用の穴１０１ａ、１０１ｂが第２のユニット内のピン７１、７１と嵌合することで、位置決め状態で結合される。これと同時に、第１のユニットのメス側のコネクタ１１０は第２のユニットの内部に設けられたオス側のコネクタ７２に嵌め込まれ、電気的にも結合される。
【００２７】
コネクタ１１０、７２の結合により、ＡＤＦ２００の電気系統は読取ユニット１００のＰＣＢ１０７に接続される。そして、コネクタ１１０、７２を介して、搬送モータ２１、第２の読取センサ９、検知センサ８などの第２ユニット内の電気機器の入力信号が、第１のユニットの制御回路１０７から供給される。一方、第２のユニット内の固定位置に配された第２の読取センサ９の画像信号が第１のユニットのＰＣＢ（制御回路）１０７を介してＰＣへ送信される。また、コネクタ１１０、７２が結合された状態では、第１のユニットの電源は第２のユニットの電源基板９２から供給される。そして、ユーザーは、操作パネル２０１を、図２に示すように第２のユニットの取付け部２４１に着脱自在に嵌め込むか、テーブルなどの上に載置する。
【００２８】
次に、第１のユニット１００を第２のユニット２００に装着し、搬送されてくる原稿を読み取るＡＤＦモードの動作について説明する。このＡＤＦモードでは、第１のユニットから供給されるバスパワーでは不十分であるため、ユーザーは第２のユニットの電源基板９２からの電源コード９１をＡＣアダプタ（不図示）に接続し、外部からの電力を使用する。第１のユニットを第２のユニットに結合した後、ユーザーが原稿をトレイ１４２、１４３上にセットし、操作パネル２０１のファンクションキー２０２、２０３、２０４、２０５のいずれかを押す。次いで、第１のユニット１００側の読取センサ１０５が移動可能範囲の最下部に設定された画像読取位置にないときは、モータ１０４を回転させて読取センサ１０５を最下部の読取位置へ移動させ、その位置に停止させる。
【００２９】
図１のＡＤＦモードでは、ホームポジションセンサ１３１（図７）は読取センサ１０５の移動可能範囲の最下位に位置しており、この位置が画像読取位置に設定されている。すなわち、読取ユニット１００の読取センサ１０５は該センサ１３１によって検知された位置で停止し、この検知された位置がＡＤＦモードにおける読取位置となる。この場合、画像読取位置は図１に示すように移動可能範囲の最下位にあるので、ＡＤＦモードのための読取センサ１０５の位置決めに際しては、該読取センサは下方へのみ移動することになる。そして、図１に示すような読取位置に停止された読取センサ１０５は、第１のユニット１００を第２のユニット２００から取り外すまで、該読取位置から移動することはない。従って、ＡＤＦモードにおいては、第１のユニットのモータ１０４にかかる負荷を、フラットベッドスキャナ（図６、図８）として使用するときの負荷より小さくすることができる。
【００３０】
読取センサ１０５を読取位置に停止させた後、搬送モータ２１による駆動を開始する。すると、搬送ローラ３及び分離ローラ４、上流側の搬送ローラ対５、６、下流側の搬送ローラ対１２、１３及び排紙ローラ対１５、１６の回転が一斉に開始される。分離ローラ対３、４の作用により、原稿Ｄは下から１枚ずつ送り出される。分離ローラ４の軸には図３に示すようにトルクリミッタ３１が装着されている。このため、搬送ローラ３と原稿との摩擦力、原稿同士の摩擦力、原稿と分離ローラ４との摩擦力の各摩擦力の差を利用するとともに、分離ローラの負荷トルク値の設定により、原稿を１枚ずつ分離しながら送り出すことができる。分離ローラの動作は周知であるので、その詳細説明は省略する。
【００３１】
分離された原稿はその先端を検知センサ８で検知され、その後搬送モータ２１が所定パルス分回転する。そして、原稿の先端がＡＤＦ側の第２の読取センサ９の読取位置に到達したら、該読取センサ９による原稿の上面（裏面）の読取を開始する。原稿の先端がさらに所定パルス分搬送されると、上記の画像読取位置に停止している第１のユニット１００の第１の読取センサ１０５による原稿の下面（表面）の読取が開始される。本実施形態では、第１の読取センサ１０５及び第２の読取センサ９として、密着型読取センサ（ＣＩＳ）が使用されている。搬送モータ２１はさらに等速で回転を続け、画像を読み取った原稿は排出ローラ対１５、１６により装置本体外に排出される。なお、次の原稿は、分離ローラ対３、４と搬送ローラ対５、６の周速の違いにより、前の原稿から遅れていき、遂には前の原稿の後端から離れる。そして、次の原稿の先端が検知センサ７で検知され、前述と同様の読取動作が行われる。以後、原稿トレイ１４２、１４３上の原稿がなくなるまで、同様の読取動作が繰り返される。
【００３２】
第１のユニット１００の制御回路（ＰＣＢ）１０７がＵＳＢコネクタ１０７ａを介して外部機器であるＰＣに接続されている場合は、ＰＣは画像読取装置５００で読み取った原稿をページ順に並べ替えて画像を表示する。ユーザーは、画像を保存する場合は、ＰＣ内部ハードディスク、操作部（操作パネル）２０１に接続されたメモリ、あるいは外部デバイスなどの記憶媒体をＰＣ上で選択し、これに情報を転送して保存する。なお、本実施形態では、原稿搬送装置（ＡＤＦ）でもある第２のユニット２００側にも読取手段である第２の読取センサ９を設ける場合を例示したが、これは、第２の読取センサ９を省略し、片面読取スキャナとして使用しても良い。また、操作部２０１は、ケーブルによる接続に限らず、コネクタによる接続にしても良い。その場合は、ＡＤＦモードで使用するときにＡＤＦ２００にコネクトし、フラットベッドスキャナとして使用するときに該フラットベッドにコネクトするように配置しても良い。
【００３３】
図１１は以上説明した実施形態に係る画像読取装置の制御部の構成を示すブロック図である。図１１において、フラットベッドスキャナとして単独で使用可能な第１のユニット１００には制御部３１０が設けられ、原稿搬送装置である第２のユニットには制御部３２０が設けられている。制御部３１０は、ホームポジションセンサ１３１、読取センサ１０５、モータ１０４及び操作パネル２０１及び画像メモリ（メモリカード等）を制御回路１０７に接続して構成されている。制御部３２０は、搬送モータ２１、読取センサ９０及び検知センサ８及び電源基板９２を有する。第２のユニットの制御部３２０は、コネクタ７２、１１０をコネクトすることにより第１のユニットの制御部３１０の制御回路１０７に接続される。また、第１のユニットの制御回路１０７はＰＣ（ホストコンピュータ）に接続されている。また、第２のユニットの電源基板９２は電源コード９１によりＡＣアダプタに接続されている。
【００３４】
以上説明した実施形態においては、第１のユニット１００は、読取手段、走査手段、制御部及び第１のフレーム部を有する。そして、読取手段は原稿の画像を読み取る読取センサ１０５で構成され、走査手段は、読取センサ１０５を原稿に沿って走査させるタイミングベルト１０３及びモータ１０４などで構成されている。また、制御部は読取手段及び走査手段を制御する制御回路（ＰＣＢ）１０７で構成され、第１のフレーム部は読取手段及び走査手段を支持する枠体１０１等で構成されている。
【００３５】
また、第２のユニット２００は、搬送手段、駆動源及び第２のフレーム部を有する。そして、搬送手段は、分離ローラ対３、４、上流側の搬送ローラ対５、６、下流側の搬送ローラ対１２、１３及び排紙ローラ対１５、１６などで構成されている。また、駆動源は、ＡＣアダプタに接続される電源基板９２で構成されている。また、第２のフレーム部は、第１のユニット１００が装着されるとともに原稿搬送機構を支持する枠体で構成されている。また、第２のユニットには、搬送手段により搬送される原稿の裏面を読み取るための第２の読取手段である読取センサ９が配されている。そして、第１のユニット１００は第２のユニット２００に対し着脱自在である。
【００３６】
以上説明した実施形態によれば、フラットベッドスキャナとして使用する場合に原稿搬送機構部を持ち上げる必要がなく、フラットベッドスキャナ単体で持ち運びすることができ、ＰＣ等のホスト機が無い環境でも画像情報を読み込むことができる。さらに詳しく説明すると以下のとおりである。まず、原稿搬送装置を構成する第２のユニット２００のフレーム部２５０に対し、フラットベッドスキャナとして単独使用可能な第１のユニット１００を着脱自在とした。このため、フラットベッドスキャナとして使用するときに重い第２のユニットを持ち上げる必要がなくなり、簡単に第２のユニットから取り外すことができ、軽くて持ち運びに便利なフラットベッドスキャナを提供することができる。
【００３７】
また、フラットベッドスキャナ１００をバッテリー駆動にするとともに、バッテリー駆動により該スキャナで読み取った画像情報をストレージデバイス（記憶媒体）に転送可能としたので、ＰＣのない環境でも画像を読み込むことができるようになった。さらに、フラットベッドスキャナ１００をＡＤＦ２００に差し込んで使用するとき、フラットベッドスキャナ側の移動可能な読取センサ１０５を移動可能域の最下位に停止させて読み取るように構成されている。従って、フラットベッドスキャナ側の読取センサを移動させるためのモータ１０４にかかる負荷を、フラットベッドとして使用するときよりも小さくすることができる。これにより、モータ１０４のパワーアップの必要性を無くすことができ、フラットベッドスキャナをバスパワーでも使用することが可能になった。
【００３８】
また、第１のユニットを第２のユニットに装着してＡＤＦスキャナとして使用する場合は、読取ユニットである第１のユニットを傾斜姿勢又は垂直姿勢で固定するので、画像読取装置の設置面積を小さくすることができる。また、操作部（操作パネル）２０１を着脱自在とし、フラットベッドスキャナによる読取モードとＡＤＦによる読取モードとで操作部の位置を変えることができる。このため、いずれの読取モードにおいても、操作部をユーザーが見やすい位置に配することが可能になった。
【００３９】
なお、本発明は、イメージスキャナ、ファクシミリ、複写機等の画像を読み取る機能を有する画像読取装置であれば、単独の装置に限定されるものではない。本発明は、これらを組み合わせた複合装置、あるいはコンピュータシステムなどの複合装置における画像読取装置に対しても広く適用可能である。また、本願における画像は文字や記号等を含む全ての出力可能な像を意味する。原稿の材質についても、紙、プラスチックシート、写真調印画紙、布、ＯＨＰ用シートなど、画像が表示されたものであれば、材質や形態に関わらず使用することができる。
【図面の簡単な説明】
【００４０】
【図１】本発明の一実施形態に係る画像読取装置の縦断面図である。
【図２】図１の画像読取装置の外観を示す斜視図である。
【図３】本発明の一実施形態に係る画像読取装置の前面のカバー部を省いて内部を示す斜視図である。
【図４】図１の画像読取装置においてさらに第２のユニットの上側のガイド機構を開いた状態を示す縦断面図である。
【図５】図２の画像読取装置において原稿トレイを折りたたんだ状態を示す斜視図である。
【図６】第１のユニットを取り外してフラットベッドスキャナとして使用するときの状態を示す斜視図である。
【図７】図６のフラットベッドスキャナの内部構造を示す斜視図である。
【図８】図６のフラットベッドスキャナを原稿の上にセットするときの状態を示す斜視図である。
【図９】図６のフラットベッドスキャナの第２のユニットとの結合部を示す斜視図である。
【図１０】本発明の一実施形態に係る画像読取装置において第２のユニットに対して第１のユニットを着脱するときの状態を示す縦断面図である。
【図１１】本発明の一実施形態に係る画像読取装置の制御部の構成を示すブロック図である。
【図１２】従来の画像読取装置の一例を示す縦断面図である。
【符号の説明】
【００４１】
９          第２の読取手段（第２の読取センサ、第２のＣＩＳ）
２１        駆動源（搬送モータ）
９２        電源基板
１００      第１のユニット（ヘラットベッドスキャナ）
１０１      第１のフレーム部（枠体）
１０２      原稿台ガラス
１０５      読取手段（第１の読取センサ、第１のＣＩＳ）
１０７      制御回路（ＰＣＢ）
１４１      操作パネルを取り付けるための取付け部（第１のユニット）
２００      第２のユニット（原稿搬送装置、ＡＤＦ）
２０１      操作パネル
２４１      操作パネルを取り付けるための取付け部（第２のユニット）
２５０      第２のフレーム部
５００      画像読取装置
【図１】
2008148025.tif 000003
【図２】
2008148025.tif 000004
【図３】
2008148025.tif 000005
【図４】
2008148025.tif 000006
【図５】
2008148025.tif 000007
【図６】
2008148025.tif 000008
【図７】
2008148025.tif 000009
【図８】
2008148025.tif 000010
【図９】
2008148025.tif 000011
【図１０】
2008148025.tif 000012
【図１１】
2008148025.tif 000013
【図１２】
2008148025.tif 000014